(57)【特許請求の範囲】
【請求項１】
カーテンレールに横方向移動自在に後記係止部を介して間接に係止され、カーテンレール側の上部から順番に間隔をあけて設けることが可能な少なくとも二つ以上のカーテン布係止部を有する複数のカーテン布吊下用紐状又は／及び棒状部材（以下単に「カーテン布吊下用紐状部材」と称する。）と、
前記カーテン布吊下用紐状部材であって異なるカーテン布吊下用紐状部材間の上部から同じ順番のカーテン布係止部にその上部側を係止するための少なくとも二枚以上の部分カーテン布と、
からなり、
最上部第一段目のカーテン布係止部は、カーテンランナーの機能を有するとともに、前記カーテン布吊下用紐状部材の上端部をひっかけて下方に支持するための上向きフックと、このフックの根本付近を根本として略カーテンレール付近を開口上端とする第一段目のカーテン布の最上部を係止するためのフックの二つ以上のフックを有し、
第二段目以降のカーテン布係止部は、カーテン布係止用紐状部材に係止するための係止機構と、第二段目以降のカーテン布の最上部を係止するためのフックを有するように構成される横開閉可能な多段カーテン。
【請求項２】
部分カーテン布の上下方向の長さは、自身の上下方向のカーテン全体の長さよりも短い長さである請求項１に記載の横開閉可能な多段カーテン。
【請求項３】
カーテン布係止部は、カーテン布吊下用紐状部材において上下方向可動である請求項１又は請求項２に記載の横開閉可能な多段カーテン。
【請求項４】
少なくとも二枚以上の部分カーテン布は、異なる形態（「形状、模様、色彩、又はこれらの結合」を言う。以下同じ。）である請求項１から請求項３のいずれか一に記載の横開閉可能な多段カーテン。
【請求項５】
前記二枚以上の部分カーテン布は、カーテン布吊下用紐状部材に係止された状態で上下の部分カーテン布同士を上側の部分カーテン布裏面と下側の部分カーテン布表面とで着脱自在とする着脱部を有する請求項１から請求項４のいずれか一に記載の多段カーテン。
【請求項６】
請求項１から請求項５のいずれか一に記載のカーテン布吊下用紐状部材。
【請求項７】
請求項１から請求項５のいずれか一に記載の横開閉可能な多段カーテンを有する窓構造体。
【請求項８】
請求項７に記載の窓構造体を有する建築物。
【発明の詳細な説明】
【技術分野】
【０００１】
本発明は、横開閉可能な多段カーテンに関し、本来カーテンの持つ遮光性や断熱性に通風性の機能を付与するのに好適な多段カーテンに関する。
【背景技術】
【０００２】
従来、自然光の調節、外部からの視線の遮断、断熱性、防音性などの機能を高めるため、あるいはインテリアとしてのデザイン性などを付与するための窓枠の装飾部材として、様々な形式のカーテン、ロールスクリーン、ブラインド、シェードなどが提供されてきた。一方で、これらの装飾部材は一旦閉じてしまうと、自然の風を取り込めないという難点があり、人工的な空調にできるだけ頼らず、季節の移り変わりを感じながら自然の風を楽しみたいという生活スタイルには、必ずしも合致するものではない。
【０００３】
特許文献１に示す通風可能なカーテンは、カーテン部分を分割し、それぞれに分割されたカーテン部分が前後交互に仕切れるような仕切りを間に挟み込むことによって、カーテン部分の隙間を作り、通風性を持たせると同時に通過させる空気の量を調整することができる。また、隙間から空気が通るため風への影響を受けにくいためベランダの外への設置も可能で、プライバシーの保護が期待できる。
【０００４】
特許文献２に示す上下複数段に分割された組立式カーテンは、カーテンを上下複数段に分割して室内外の遮光性を維持しながら通風性を確保するためのものである。縦方向にテープ状支持体を配置し、横方向に着脱可能な取り付けバーを配置することによって、カーテンの上下方向の開閉に伴うカーテン片の傾きやゆがみが解消され、閉鎖時にはあたかも一枚のカーテン布に見えながら通風性も確保できる。
【０００５】
特許文献３に示す屋外用カーテンは、主として太陽光の入射・照射を阻止するために日陰を形成しエネルギー効率を高めるとともに、屋内外での通風を阻害せず、風による騒音を発生させないで使用できるようにしたものである。窓枠の屋外に立脚状に配置した支持部材に所定の幅のカーテンを多段に吊り下げる構成になっている。屋外用であるためカーテン本体の素材は少なくとも耐水性を備え、さらに柔軟性、防水性、非含水性、耐風性、耐候性、耐光性、耐退色性のいずれかをも備えたものとする。また、カーテンの素材や模様、色彩などの選定を変えることによって、容易にデザイン性や広告宣伝効果を高めることができる。
【先行技術文献】
【特許文献】
【０００６】
【特許文献１】特開２０１３−７５１３３
【特許文献２】特許第２８９９５８２号
【特許文献３】実用新案登録第３１７１４７３
【発明の概要】
【発明が解決しようとする課題】
【０００７】
上記特許文献１に記載のカーテンは、遮光性と通風性を両立したカーテンである点で優れたものであり、かつ、左右方向に開閉できる点で便利であるが、一旦カーテンを全開にして左右のいずれかにカーテンを集約した後に、再度、カーテンを閉めて遮光性と通風性を両立させようとしてもそれぞれの分割されたカーテン部分を正しい位置に配置する手間が煩雑であった。つまり、位置決めに時間がかかる、という問題があった。
【０００８】
上記特許文献２では、上記した組立式カーテンの構造により、上下方向の可動に伴うカーテン片の傾きや歪みの解消を目指し美観を整えるという課題は解決できるが、カーテン部分を上下方向に可動させることができるだけであり、カーテンの横開閉ができない。従って、朝から昼、昼から夕方といった東から西へ移動する太陽の動きに合わせて遮光位置を変えることができず、その点でカーテンの使い勝手が良くないという課題があった。
【０００９】
上記特許文献３は、多段の吊下式の屋外用カーテンであり、カーテンの上下方向の可動も横方向の開閉も開示されておらず、常に遮光状態での利用になるのでカーテンの使い勝手が良くないという課題があった。
【００１０】
本発明の目的は、このような課題を解決し、本来のカーテンの持つ遮光性や断熱性に通風性の機能を付与すると同時に、デザイン性にも優れた横開閉可能な多段カーテンを提供することにある。
【課題を解決するための手段】
【００１１】
上記課題を解決するために本発明において、以下の横開閉可能な多段カーテンを提供する。すなわち、第一の発明として、カーテンレールに横方向移動自在に後記係止部を介して間接に係止され、カーテンレール側の上部から順番に間隔をあけて設けることが可能な少なくとも二つ以上のカーテン布係止部を有する複数のカーテン布吊下用紐状又は／及び棒状部材（以下単に「カーテン布吊下用紐状部材」と称する。）と、前記布吊下用紐状部材であって異なるカーテン布吊下用紐状部材間の上部から同じ順番のカーテン布係止部にその上部側を係止するための少なくとも二枚以上の部分カーテン布とからなり、最上部第一段目のカーテン布係止部は、カーテンランナーの機能を有するとともに、前記カーテン布吊下用紐状部材の上端部をひっかけて下方に支持するための上向きフックと、このフックの根本付近を根本として略カーテンレール付近を開口上端とする第一段目のカーテン布の最上部を係止するためのフックの二つ以上のフックを有し、第二段目以降のカーテン布係止部は、カーテン布係止用紐状部材に係止するための係止機構と、第二段目以降のカーテン布の最上部を係止するためのフックを有するように構成される横開閉可能な多段カーテン（請求項１対応）。
【００１２】
前記構成に加え、部分カーテン布の上下方向の長さは、自身の上下方向のカーテン全体の長さよりも短い長さである（請求項２対応）。
【００１３】
前記構成に加え、カーテン布係止部は、カーテン布吊下用紐状部材において上下方向可動である（請求項３対応）。
【００１４】
前記構成に加え、少なくとも二枚以上の部分カーテン布は、異なる形態（「形状、模様、色彩、又はこれらの結合」を言う。以下同じ。）である（請求項４対応）。
【００１５】
前記二枚以上の部分カーテン布は、カーテン布吊下用紐状部材に係止された状態で上下の部分カーテン布同士を上側の部分カーテン布裏面と下側の部分カーテン布表面とで着脱自在とする着脱部を有する（請求項５対応）。
【００１６】
段落［００１１］から段落［００１５］のいずれか一に記載のカーテン布吊下用紐状部材（請求項６対応）。
【００１８】
段落［００１１］から段落［００１５］のいずれか一に記載の横開閉可能な多段カーテンを有する窓構造体（請求項８対応）。
【００１９】
段落［００１８］に記載の窓構造体を有する建築物（請求項９対応）。
【発明の効果】
【００２０】
上述した構成によれば、本来のカーテンの持つ遮光性や断熱性に通風性の機能を付与すると同時に、デザイン性にも優れた横開閉可能な多段カーテンを提供することができる。
【図面の簡単な説明】
【００２１】
【図１】実施形態の横開閉可能な多段カーテンの正面全体図である（通風時の様子）。
【図２】実施形態の横開閉可能な多段カーテンの正面全体図である（無風時の様子）。
【図３】実施形態のカーテンレールに取り付けられたカーテン布吊下用紐状又は／及び棒状部材を示す図である。
【図４】実施形態の他のカーテンレールに横開閉可能な多段カーテンを取り付けた例を示す図である。
【図５】実施形態の横開閉可能な多段カーテンを窓構造体に取り付けた例を示す図である。
【図６】実施形態の横開閉可能な多段カーテンをカーテン布吊下用紐状部材に取り付けた状態の側面図である。
【図７】実施形態の多段カーテンの取付けフックを係止するための結び目（A）とゴム（B）部材を示す図である。
【図８】実施形態の部分カーテン布同士をつなぐために、部分カーテン布に着脱自在なマジックテープ（登録商標）を取り付けた例を示す図である。
【図９】実施形態の横開閉可能な多段カーテンが布吊下用紐状部材に係止され、カーテンレールに取り付けられた状態を裏側から示した全体図である（カーテンが横方向に開いた状態、通風時の様子）。
【図１０】実施形態のカーテン布吊下用紐状部材において上下方向に可動するカーテン布係止部を示す図である。
【図１１】実施形態の横開閉可能な多段カーテンのカスタム例を示す図である。
【図１２】実施形態の横開閉可能な多段カーテンにグラデーション（階調）を付加した示す図。
【図１３】実施形態の横開閉可能な多段カーテンを縦切り込みした例を示す図である（通風時の様子）。
【図１４】実施形態の横開閉可能な多段カーテンを縦分割切り込みした例を示す図である（無風時の様子）。
【図１５】その他の実施形態の横開閉可能な多段カーテンにおけるカーテンランナーの変形例を示す図である。
【図１６】その他の実施形態の横開閉可能な多段カーテンにおけるカーテンランナーの変形例を示す図である。
【符号の説明】
【００２２】
０１０１、０２０１、０３０１  カーテンレール
０１０２、０１０４  カーテン布係止部
０１０３  カーテン吊下用紐状部材
０１０５、０１０６、０１０７、０２０３、０２０４、０２０５  部分カーテン布
０１０８、０２０２  カーテンランナー
０３０４  特製カーテンフック
０３１３  第一段目のカーテン布係止部
０３１０  ８リング
０３１４ａ、０３１４ｂ  結び目
０３１２、０３１５  リング
０３１１  カーテンフック
【発明を実施するための形態】
【００２３】
以下に、図を用いて本発明の実施の形態を説明する。なお、本発明はこれら実施の形態に何ら限定されるものではなく、その要旨を逸脱しない範囲において、種々なる態様で実施しうる。
【００２４】
＜実施形態１＞
実施形態１は、主に請求項１、請求項６及び請求項７に対応する。
＜実施形態１  概要＞
【００２５】
実施形態１の横開閉可能な多段カーテンは、レール上を移動可能な少なくとも二つ以上のカーテン布係止部が縦方向に間隔をあけて設けられたカーテン布吊下用紐状部材を用いて、横分割された部分カーテンを多段に備えるカーテンである。これにより、本来のカーテンの持つ遮光性や断熱性に通風性の機能を付与したうえで横方向に開閉、移動、自在とすることができる。
＜実施形態１  構成＞
【００２６】
図１に示すように、実施形態１の横開閉可能な多段カーテン０１００は、少なくとも二つ以上（０１０２と０１０４合わせて）のカーテン布係止部を有する複数のカーテン布吊下用紐状又は／及び棒状部材（以下単に「カーテン布吊下用紐状部材」と称する。）０１０３と、少なくとも二枚以上の部分カーテン布０１０５、０１０６、０１０７とからなる。
＜実施形態１  構成の説明＞
【００２７】
＜実施形態１  横開閉可能な多段カーテン全体像＞
【００２８】
「横開閉可能な多段カーテン」０１００は、図１に示すように、横開閉や、カーテンで遮光する位置を横方向に移動可能であって、吊り下げられるカーテン布である部分カーテン布が上下方向で多段になっており、部分カーテン布は上部のみが係止されているために外側からの風で部分カーテン布が風になびいて下側に向かって開くように機能するカーテンである。
【００２９】
図１に示すように、横開閉可能な多段カーテン０１００は、風を受けるとそれぞれの部分カーテン布全体が揺れるため、その間隙からの通風が可能となる。一連のカーテン吊下用紐状部材０１０３に部分カーテン布０１０６、０１０７が係止されているため、風が強いときにもブラインドのような騒音を起こすことなく、視覚的に風をとらえることもできる。無風時には図２に示すように、多段カーテンがあたかも１枚のカーテン布のような形状となり、保温性、断熱性といった機能やデザイン性を保有したままとなる。
【００３０】
図１及び図２では３段カーテンの例を示しているが、一本のカーテン吊下用紐状部材０１０３に備えられるカーテン布係止部は、少なくとも二つ以上（０１０２と０１０４合わせて）を有して複数段にわたって部分カーテン布を係止可能に構成され多段カーテンを形成することができるようになっている。図２で示すのは、多段カーテンの無風時の室内から見た状態である。デザイン性、操作性、機能性といった点から係止部は一本のカーテン吊下用紐状部材につき２つから６つとして２段から６段の多段カーテンとするのが望ましい。
【００３１】
＜実施形態１  カーテン布吊下用紐状部材＞
「カーテン布吊下用紐状部材」０１０３は、紐状部材又は／及び、棒状部材から構成されている。
【００３２】
＜実施形態１  カーテン布吊下用紐状部材  横方向移動自在＞
カーテン布吊下用紐状部材０１０３は、図１に示すように、カーテンレール０１０１に横方向移動自在に直接又は間接に係止（例えば、カーテン布係止部であるカーテンランナー０１０８に具備した係止用のリング０１０２に係止：このカーテン布係止部は、カーテン吊下用紐状部材と空間的には接していないが、これも含めてカーテン吊下用紐状部材の構成であるとする。）されている。なお、横方向に移動可能とする手段はこれに限られず、どのような構成で横方向移動可能としてもよい。
【００３３】
＜実施形態１  カーテン吊下用紐状部材  カーテン布係止部＞
カーテン布吊下用紐状部材のカーテンレール０１０１側の上部から順番に間隔をあけて設けられる又は、設けることが可能な少なくとも二つ以上（０１０２と０１０４合わせて）のカーテン布係止部を有する。「設けることが可能な」とするのは、カーテン布係止部が、カーテン布係止部を紐状部材本体又は棒状部材本体に後付することができるように構成される場合があるからである。もちろん、当初の製品製造、販売段階であらかじめカーテン布係止部が固定されて設けられていてもよい。またあらかじめ設けられている場合であっても、可動構造であってもよい。部分カーテン布と、カーテン布吊下用紐状部材との係止関係は、係止機能を部分カーテン布にのみ設けてもよいし、カーテン布吊下用紐状部材にのみ設けてもよいし、両者に設けてもよいが、いずれにせよ、カーテン布吊下用紐状部材と部分カーテン布とが一体となった場合には、その係止機能は、少なくともカーテン布吊下用紐状部材に備えられていることとなる。
【００３４】
＜実施形態１  カーテン吊下用紐状部材  カーテン布係止部  第１段目＞
図３に示すように第一段目のカーテン布係止部０３１３は、カーテンレール０３０１を挿入し、カーテンレール上を左右方向移動自在とするカーテンランナーの機能を有し、一段目の部分カーテン布を係止するための係止リングをこれと一体に備えたものである。ただし、これもカーテン布係止部であるが、カーテン吊下用紐状部材の紐本体とは物理的には連結していない。
【００３５】
＜実施形態１  カーテン吊下用紐状部材  カーテン布係止部  第１段目に係止される部分カーテン布の構造＞
第一段目のカーテン布係止部０３１３に係止される部分カーテン布の係止構造について図３を用いて説明する。第一段目の部分カーテン布は、第一段目のカーテン布係止部に係止されるために図３で示すように、第一段目のカーテン布係止部に係止されるための第一フック０３０８と、カーテン布本体にこの係止構造を取り付けるための第二フック０３０６と、カーテン吊下用紐状部材の紐本体の上端部０３０３をひっかけて支持するための第三フック０３０７を有する。
【００３６】
＜実施形態１  カーテン吊下用紐状部材  カーテン布係止部  第２段目以降の構造＞
カーテン布吊下用紐状部材０３０３に間隔をあけて設けられた第二段目のカーテン布係止部（０３１４ａ、０３１４ｂ、０３１０、０３１２から構成）は、第二段目の部分カーテン布を係止するためのもので、三段目以降は第二段目と同様な構成となっている。これは、同じ構成の方が、共通の部材が使用できるため部品コストを抑えられるからである。
【００３７】
一例としては、２段目、３段目は結び目０３１４ａと結び目０３１４ｂとの間に８リング０３１０が挟み込まれている。８リング０３１０はカーテン布吊下用紐状部材本体を挿通するためのリング０３１５と部分カーテン布に備えられたカーテンフック０３１１係止用のヒートン部（リング）０３１２が設けられている。４段、５段の多段カーテンを実現する場合は、カーテン布吊下用紐状部材０３０３に備えられたカーテン布係止部の数を増やすことにより実現できる。
【００３８】
図７（Ａ）に示すように、カーテン布係止部は、カーテン布吊下用紐状部材の間隔をあけて設けられた位置に８リング０７０３を結び目０７０２ａと結び目０７０２ｂによって挟んで固定しカーテンフック０７０４を取り付ける形状となっているが、図７（Ｂ）に示すように８リング０７０６は中心が空洞でひょうたん型のゴムで挟んで固定することもできる。カーテン布係止部の構成はこれに限定されるものではなく、カーテン布吊下用紐状部材の固定した位置に部分カーテン布を係止する機能を有するカーテン布係止部構造体を接着等により固定してカーテン布係止部として構成することもできる。
【００３９】
＜実施形態１  カーテン布吊下用紐状部材  部分カーテン布の取付方法＞
以下、カーテン布吊下用紐状部材０１０３を用いた多段カーテンにおける部分カーテン布の取付け方法について図３を用いて詳細に説明する。図３は、実施形態１のカーテンレールに取り付けられたカーテン布吊下用紐状又は／及び棒状部材の例を示している。多段カーテンを構成する各部分カーテン布は図１又は図２に示すとおりであるが、多段カーテンの部分カーテン布の取付け状態説明の都合上、部分カーテン布の布部分の図を省略し、部分カーテン布のフックであって、カーテン布係止部に係止する部分のみを部分カーテン布の一部として示している。図３では、２段目、３段目のカーテン布係止部の一例として８リングを用いた例を示している。この例では、カーテン布吊下用紐状部材は、一本の紐の途中に二段の結び目を作ると同時に、その結び目に挟まれるように８リングの一方のリング０３１５を通すように構成される。そして、８リングの他方のリング０３１２には、部分カーテン布に備えられたフック０３１１を通すことで部分カーテン布がカーテン吊下用紐状部材に吊下げられることとなる。この部分カーテン布を構成するフックは８リングに通す方が下向きのフックで、その反対側には、部分カーテン布本体の上部側に作られた下向きのポケット状構成部分に差し込んで部分カーテン布本体と連結するための上向きのフックが備えられている。なお、ここでは、カーテン布係止部を８リングと結び目から構成されるものとし、フックは部分カーテン布を構成するものとして説明したが、フックも含めてカーテン布係止部ととらえることもできる。カーテン布係止部は、このような構成に限定されるものでなく、他のあらゆる形態が含まれる。
【００４０】
＜実施形態１  部分カーテン布＞
「部分カーテン布」０１０４は、同様にカーテン布係止部が配置されたカーテン布吊下用紐状部材０１０３であって異なるカーテン布吊下用紐状部材間の上部から同じ順番のカーテン布係止部にその上部側を係止する。図１や図２に示す多段カーテンの例では、同じサイズで３枚の部分カーテン布が備えられている。多段カーテンを実現したとき、同じサイズの方がカーテンの洗濯などの際にしまっていた部分カーテン布をいずれでも利用できて使いまわしが良く、見た目がきれいだからである。部分カーテン布の素材は、天然繊維や化学繊維のみならず、難燃加工、撥水加工、防汚加工、抗菌加工などを施した布や遮光性の機能を持たせた布などを用いることができるため、様々な目的に応じた利用が可能となる。４段、５段の多段カーテンの場合は、同じサイズで同様に分割して部分カーテン布を構成することができる。
【００４１】
ここで、図示を省略しているが、最上部の部分カーテン布０１０５には上端部分にカーテン布係止部０１０２に係止するためのカーテンフック（このカーテンフックは通常のカーテンフックとは異なる構成であるので、以下、「特製カーテンフック」という。後記図３参照）０３０４が取り付けられており、その特製カーテンフック０３０４がカーテン布係止部０１０２に係止されている。最上部以外の部分カーテン布０１０６、０１０７には上端部分にカーテン布係止部０１０４に係止するためのカーテンフック（後記図３参照）０３１１が取り付けられており、そのカーテンフック０３１１がカーテン布係止部０１０４に係止されている。これにより、部分カーテン布がカーテン布吊下用紐状部材に所定間隔をおいて設けられたカーテン布係止部に取り付けられ、多段カーテンを構成することができる。また、カーテン布係止部０１０２はカーテンレール０１０１に設置され部分カーテン布を横方向に移動自在とするカーテンランナー０１０８に備えられている。
＜カーテンレール＞
【００４２】
カーテンレールは、アルミ、スチール、木などの材料を使用することができる。
＜カーテンランナー＞
【００４３】
最上部のカーテン布係止部を構成するカーテンランナーは、ポリプロピレン、ＳＢ樹脂、金属（例えば、スチール）の材料を使用することができる。
＜カーテンフック＞
【００４４】
ここでは、部分カーテン布に取り付けられるカーテンフックは、特製カーテンフックと通常のカーテンフックが使用されている。特製カーテンフックと通常のカーテンフックの材質は、ポリアセタールなどを用いることができる。２段目以降のカーテンフックには通常のカーテンフックが使用することができ、スチールなどの金属製のカーテンフックを使用することができる。
【００４５】
カーテンフックは、カーテンレールを見せるＡタイプ又はＡフック（技術用語）と、カーテンレールを隠すＢタイプ又はＢフック（技術用語）の、２通りがある。部分カーテン布のカーテン布係止部に係止される高さ方向の調整が可能なようにアジャスタ（調整機能）付きカーテンフックを利用することも考えられる。
アジャスタ付きカーテンフックを使用すると、例えば部分カーテン布の係止位置の調整が５ｍｍずつ最大７０ｍｍまで調節することができる。
【００４６】
カーテンフックの使用数は、例えば部分カーテン布のカーテン横幅が１００ｃｍの場合に、７本から９本のカーテン吊下用紐状部材に係止するとすれば、７〜９個ぐらい使用される。例えば、カーテン横幅が１００ｃｍの部分カーテン布で３段の多段カーテンを構成する場合は、２１から２７個のカーテンフックが使用される。カーテン横幅が１５０ｃｍの場合に９本から１４本のカーテン吊下用紐状部材に係止するとすれば、カーテンフックの使用数は、９個〜１４個ぐらいである。例えば、カーテン横幅が１５０ｃｍの部分カーテン布で３段の多段カーテンを構成する場合は、２７から４２個のカーテンフックが使用される。４段の多段カーテンや５段の多段カーテンを構成する場合は、一枚の部分カーテン布のカーテンフック使用数の段数倍のカーテンフックが使用されることになる。
２段目以降のカーテンフックには通常のカーテンフックが使用することができ、スチールなどの金属製のカーテンフックを使用することができる。
【００４７】
また、図４に示すように横開閉可能な多段カーテンはローラーが下方が解放されたＣ字状のカーテンレールを回転しながら移動可能であると同時に、ローラーは左右に分割されていて、中央部分からフック部材が垂れ下がっているようなタイプのカーテンレール０４０１に取り付けることもでき特別なカーテンレールを必要とせず、取扱いが便利である。
【００４８】
図９は、横開閉可能な多段カーテンがカーテン布吊下用棒状部材０９０５ａ、０９０５ｂとカーテン布吊下用紐状部材０９０３ａ、０９０３ｂに係止され、床にもレール０９０６を取り付け、カーテン布吊下用棒状部材０９０５ａ又は０９０５ｂを横移動するだけで、多段カーテンの開け閉めができるようにしたものである。
さらに図１３に示すように、部分カーテン布１３０５、１３０６、１３０７を更に、縦方向にのれんのように切込を入れることも可能であり、切込を入れることで容易に部分カーテン布がたなびくようになり、通風性が高まる。
【００４９】
図１４は無風時の縦切込の多段カーテンの様子を示した図である。部分カーテン布の縦の切込は、カーテン布係止部の位置で、のれん状になるように上部のつながりを残して切り込みが入っている。このため無風時の保温性、断熱性は低下するものの、カーテンの横開閉時の歪みが生じにくく美観を損ねることなくデザイン性を楽しむこともできる。
【００５０】
＜その他の実施形態＞
＜その他のカーテンレール＞
上述したカーテンレールは、いずれも直線型であったが、曲線（カーブ）を描いた窓などにもカーテンを取り付けられるようにカーテンレールが自由に曲げられるようにしたカーブ状のカーテンレールを使用することもできる。
【００５１】
＜その他のカーテンランナー＞
上述したカーテンランナーはホイールランナーやリングランナーに特製カーテンフックを取り付けたが、カーテンランナーを変更して通常のカーテンフックを取り付けられるようにしても良い。例えば、図１５に示すようなカーテンランナー１５０１の吊り下げ部（ヒートン部）１５０２、１５０３を縦２段に２つ設けて、上段の吊り下げ部１５０２にカラビナ１５０４を取付け、カラビナ１５０４によりカーテン布吊下用紐状部材１５０５の紐の輪を取り付ける。下段の吊り下げ部１５０３に通常のカーテンフック（例えば、図３のカーテンフック０３１１）１５０６により部分カーテン布を取り付ける。これにより、特製カーテンフックに代えて、通常のカーテンフックを用いた部分カーテン布の取付けを行うことができるので、多段カーテンの取付構造を簡素化することができる。
【００５２】
図１６では、カーテンランナー１６０１の吊り下げ部（ヒートン部）に別途のリングを有するカラビナ１６０２を取付け、カラビナ１６０２によりカーテン布吊下用紐状部材１６０５の紐の輪を取り付けると同時に、カラビナ１６０２に設けられたリング１６０３に通常のカーテンフック（例えば、図３のカーテンフック０３１１）１６０４を係止し、これにより部分カーテン布を取り付ける。もちろんカーテン布吊下用紐状部材の紐の頂上の輪と、部分カーテン布のカーテンフックとを上記とは逆に係止してもよい。これにより、特製カーテンフックに代えて、通常のカーテンフックを用いた部分カーテン布の取付けを行うことができるので、多段カーテンの取付構造を簡素化することができる。
【００５３】
＜実施形態１  効果＞
本実施形態１によれば、本来のカーテンの持つ遮光性や断熱性に通風性の機能を付与すると同時に、デザイン性にも優れた横開閉可能な多段カーテンを提供することができる。
【００５４】
＜実施形態２＞
実施形態２は、主に請求項２に対応する。実施形態２は実施形態１をベースとした多段カーテンの実施形態である。
＜実施形態２  概要＞
【００５５】
実施形態２の横開閉可能な多段カーテンは、部分カーテン布の上下方向の長さが、自身の上下方向のカーテン全体の長さよりも短い長さとしたものである。
【００５６】
＜実施形態２  構成＞
図６に示すように、実施形態２の横開閉可能な多段カーテンは、部分カーテン布の上下方向の長さは、自身の上下方向のカーテン全体の長さよりも短い長さである。
【００５７】
＜実施形態２  構成の説明＞
＜部分カーテン布の縦方向の長さについての制限＞
３段の部分カーテン布０６０６のそれぞれの上下方向の長さはＡｃｍ、自身の上下方向のカーテン全体の長さＣｃｍとすると、Ａ＜Ｃの関係が成り立たなければならない。この関係が成り立たなければ、部分カーテンを複数用いても、一般の一枚から構成されるカーテンからいわゆる風通しを良くする効果を得ることができないからである。部分カーテンの上側部分がその部分カーテンの上側に配置されている部分カーテンの下側部分によって隠されるか、隠されないかは設計事項であるが、カーテンの役割として日照を遮るという役割を期待するのであれば、前述のように部分カーテンの上下間は一部が重なって隠れることが望ましい。
【００５８】
カーテン布吊用紐状部材の長さをＢｃｍとすると、部分カーテン布の上下方向の長さＡｃｍ（部分カーテン布を維持した状態の長さは必要）は、カーテン布吊用紐状部材の長さＢｃｍよりも短い方が好ましい。カーテンの通風性が良くなるからである。しかしながら、若干カーテンの通風性が低くなるが、部分カーテン布の上下方向の長さＡｃｍは、カーテン布吊用紐状部材の長さＢｃｍとほぼ同じでも良い。多段カーテンは、それぞれの部分カーテン布が分割されているので、１枚のカーテン布でカーテンを構成した場合よりも通風性は改善できるからである。
【００５９】
一実施例を図６に示す。Ａ＜Ｃが実現しており、カーテンレール０６０１に取り付けられたカーテン布係止部０６０２にカーテン布吊下用紐状部材本体０６０３が掛けられている。
図６の例では３段カーテンを示している。２段目と３段目には８リング０６０７、０６０７を安定維持させるために中心が空洞でひょうたん型のゴム０６０４を装着している。上側の部分カーテン布によって下側の部分カーテン布のフック配置部分が隠れることが好ましい。フック配置部は、場合によってフックの形がカーテン布を通して見透かされたり、ミシン目が目立って全体の美観を損なう場合があるからである。図６の記載は、このような構成を記載したものである。
【００６０】
＜実施形態２  効果＞
本実施形態２によれば、実施形態１に加えて、多段カーテンの通風性をより向上させることができる。
【００６１】
＜実施形態３＞
実施形態３は、主に請求項３に対応する。実施形態３は実施形態１又は実施形態２をベースとした多段カーテンの実施形態である。
＜実施形態３  概要＞
【００６２】
実施形態３の横開閉可能な多段カーテンは、カーテン布係止部が手動で上下方向可動な構造である。
＜実施形態３  構成＞
【００６３】
図１０に示すように、実施形態３の横開閉可能な多段カーテンは、カーテン布係止部は、カーテン布吊下用紐状部材において上下方向可動である。
＜実施形態３  構成の説明＞
【００６４】
＜実施形態３  カーテン布係止部  上下方向可動＞
【００６５】
「カーテン布係止部が上下方向可動」とは、カーテン係止部がカーテン吊下用紐状部材において手動操作により上下方向に移動できることをいう。図１０に示すように、カーテン吊下用紐状部材１００１に対してカーテン布係止部１００２が取り付けられ、カーテン布係止部１００２にはカーテンフックを取り付けるためのリング１００３が設けられている。カーテン布係止部１００２のボタン１００４を手で押下状態を維持することにより、カーテン布係止部１００２は移動可能な状態となり、任意の位置にカーテン布係止部１００２を設置することができる。これにより、部分カーテン布の長さを変更したり、多段カーテンの分割段数を増やしたりするときの自由度を高めることができる。
【００６６】
図１０に示したカーテン布係止部の具体的な内部構造としては、カーテン布係止部がピストン型の内部空洞の構造で、シリンダー部分とピストン部分とから構成されており、シリンダー部分には対向する側面部分に見通しできる穴が構成されており、同じくピストン部分にも対向する側面部分に見通しできる穴が構成されており、ピストン部分はシリンダーの開口方向に付勢されており、付勢されて力を加えない状態ではシリンダー部分が開いた穴と、ピストン部分に開いた穴とは一列に並ばないが、ピストン部分の頂部から力を加えることでこれらの穴が一列にならんで見通せるようになる構成が考えられる。この一列に並んだ状態でカーテン吊下用紐状部材の紐本体を挿通し、印加する力を除いた時点で、備えられている付勢力によって、シリンダー部分に対してピストン部分がシリンダー開口方向に付勢され、一列に並んでいた穴のシリンダー部分側の穴と、ピストン部分側の穴が相対的に離間するように力が働き、その力によって前記紐本体が挟持され、カーテン吊下用紐状部材にカーテン布係止部を固定する。この場合、前記穴が一列に並んでいる状態のときには、紐本体に対して挟持力が加えられていないので、紐本体に対してカーテン布係止部は相対的に自由に移動することができ、このような状態のときに上下方向に可動となる。
【００６７】
＜実施形態３  効果＞
本実施形態３によれば、実施形態１又は実施形態２に加えて、部分カーテン布どうしの重なり長さを変えることができ、風による部分カーテンのたなびき方を調整できるので、風通しの風量の調節が可能となる。また、多段カーテンの分割段数を増やしたり、減らしたりすることも可能となる。
【００６８】
＜実施形態４＞
実施形態４は、主に請求項４に対応する。実施形態４は、実施形態１から実施形態３のいずれか一をベースとした実施形態である。
＜実施形態４  概要＞
【００６９】
実施形態４の横開閉可能な多段カーテンは、カスタムカーテンの複数の形態を示したものである。
＜実施形態４  構成＞
【００７０】
図１１に示すように、実施形態４の横開閉可能な多段カーテンは、少なくとも二枚以上の部分カーテン布が、異なる形態（「形状、模様、色彩、又はこれらの結合」を言う。以下同じ。）である。
＜実施形態４  構成の説明＞
【００７１】
「部分カーテン布が異なる形態」とは、部分カーテン布の形状、模様、色彩、又はこれらの結合が異なることをいう。部分カーテン布を異なる形態とすることにより、多段カーテンにバリエーションを付けてカスタムカーテンを実現することができる。実施形態の横開閉可能な多段カーテンのカスタム例を図１１に示す。
【００７２】
図１１に示すように、１段目の部分カーテン布１１０３はカーテンレール１１０１に取り付けられたリング１１０２に、図示しない複数のカーテン布係止部より係止されている。２段目の部分カーテン布１１０４は図示しない複数のカーテン布係止部より係止されている。３段目の部分カーテン布１１０３は図示しない複数のカーテン布係止部より係止されており、一段目の部分カーテン布と同じ部分カーテン布である。このように、多段カーテンによれば、分割された部分カーテン布を自由にカスタマイズすることができる。例えば、５段カーテンの場合は、段毎に色を変えて上から「黒・グレー・黒・グレー・黒」など、３段カーテンの場合は上から「白・水色・青」などインテリアコーデネートすることができる。部分カーテン布の各色を用意しておくことで顧客が好みに合わせてカスタム注文することができるようになる。
【００７３】
実施形態の横開閉可能な多段カーテンにグラデーション（階調）を付加した例を図１２に示す。
【００７４】
図１２に示すように、１段目の部分カーテン布１２０３はカーテンレール１２０１に取り付けられたリング１２０２に、図示しない複数のカーテン布係止部より係止されている。２段目の部分カーテン布１２０４は図示しない複数のカーテン布係止部より係止されている。３段目の部分カーテン布１２０５は図示しない複数のカーテン布係止部より係止されている。図１２の例では、３段のカーテンを示しており、例えば１段目の部分カーテン布の色が「黒」であり、３段目の部分カーテンの色が「白」であるとすると、２段目の部分カーテン布の色にグラデーション（階調）を付けて「黒」色から「白」色に段階的に色を変えたものである。これにより、多段に分割されたカーテンでありながら、１枚のようなカーテンに見え、多段カーテンを部屋のインテリアの一部として使用することができる。
＜実施形態４  効果＞
【００７５】
本実施形態４によれば、実施形態１から実施形態３に加え、部分カーテン布を自由にカスタマイズすることで一組の部分カーテン布でインテリアとしての多段カーテンのバリエーションを楽しむことができる。
【００７６】
＜実施形態５＞
実施形態５は、主に請求項５に対応する。本実施形態は、実施形態１から実施形態４のいずれか一をベースとした実施形態である。
＜実施形態５  概要＞
【００７７】
実施形態５の横開閉可能な多段カーテンは、部分カーテン布の重なる部分を着脱自在とする着脱部を設けたものである。これにより、着脱部を着状態とすることで多段カーテンの間の風の通りを無くすことができる。
＜実施形態５  構成＞
【００７８】
図８に示すように、実施形態５の横開閉可能な多段カーテンは、二枚以上の部分カーテン布（０８０１、０８０２）が、着脱部０８０３、０８０４を有する。
＜実施形態５  構成の説明＞
【００７９】
「着脱部」０８０３、０８０４は、図８に示すように、上段部分カーテン布０８０１の裏面下端と下段部分カーテン布０８０２の表面上端に設けられており、カーテン布吊下用紐状部材（図示省略）に係止された状態で上下の部分カーテン布同士を上側の部分カーテン布裏面と下側の部分カーテン布表面とで着脱自在とする。この着脱部０８０３、０８０４は、一枚の部分カーテン布について複数設けられてもよく、部分カーテン布の横方向の長さに応じて設置数（設置個所）を決定することができる。例えば、カーテン布吊下用紐状部材（図示省略）のカーテン布係止部に係止されるフックなどが配置される領域と領域の間にほぼ等間隔に配置されることが考えられる。カーテン布吊下用紐状部材（図示省略）のカーテン布係止部に部分カーテン布が係止される領域間は一番通風性が高いからである。
【００８０】
着脱部の具体例としては、「マジックテープ（登録商標）」などが使用できる。なお、着脱部同士をくっつけたくない場合は、着脱部の各箇所の片面に対応するマジックテープ（登録商標）等を付けておく。
＜実施形態５  効果＞
【００８１】
本実施形態５によれば、実施形態１から実施形態４に加えて、上述した実施形態で得られた多段カーテンの通風性を無くすことができる。
【００８２】
＜実施形態６＞
実施形態６は、主に請求項８及び請求項９に対応する。
＜実施形態６  概要＞
【００８３】
実施形態６の横開閉可能な多段カーテンは、建築物（例えば、住宅）の窓構造体に設置したものである。これにより、多段カーテンは、遮光性や断熱性を有するカーテンの機能に通風性を付与した窓構造体を実現することができる。実施形態１から実施形態５のいずれか一に記載された多段カーテンを用いた窓構造体、並びに、この窓構造体を有する建築物である。
＜実施形態６  構成＞
【００８４】
図５に示すように、実施形態１から実施形態５のいずれか一に記載の横開閉可能な多段カーテンを有する窓構造体である。また、実施形態６に記載の窓構造体を有する建築物を実現しても良い。
＜実施形態６  構成の説明＞
【００８５】
「窓構造体」０５００は、図５に示すように、窓枠０５０６の上端部分に、カーテン布係止部を取り付ける複数のカーテン布係止部であるカーテンランナー０５０２を取り付けたカーテンレール０５０１を設置する。図５の例により、３段の多段カーテンの窓構造体について説明する。カーテンレール０５０１に可動状態で係止されるカーテン布係止部であるカーテンランナー０５０２（例えば、リングランナー）のヒートン部に、第１段目の部分カーテン布０５０３に取り付けられたカーテン布取付部（例えば、図３の部分拡大図に示す特製のカーテンフック）を係止する。このカーテン布取付部のフック部分にカーテン布吊下用紐状部材０５０８の最上端部分の輪を止める。２段目の部分カーテン布０５０４に取り付けられたカーテン布取付部を８リングの孔に係止する。次に３段目の部分カーテン布０５０５に取り付けられたカーテン布取付部を８リングの孔に係止する。
【００８６】
このようにして、取り付けられた３段カーテンは、外部の風が室内に入ってくると、図５のようにカーテンが風になびき、通風がなされる。３段カーテンの全体の長さは床部分に接しない程度の長さに設定する。また、室内に流入する風が強い場合において、カーテンがめくれ上がり、遮光性が失われるような場合は部分カーテン布の長さを調節する調節機能を有するように構成することができる。図５の例では、３段カーテンの例を示しているが、２段から５段ぐらいに分割された多段カーテンを構成してもよい。
＜実施形態６  効果＞
【００８７】
本実施形態６によれば、多段カーテンは、遮光性や断熱性を有するカーテンの機能に通風性を付与した窓構造体や、この窓構造体を有する建築物を実現することができる。
【要約】      （修正有）【課題】本来のカーテンの持つ遮光性や断熱性に通風性の機能を付与すると同時に、デザイン性にも優れた横開閉可能な多段カーテンを提供する。【解決手段】カーテンレール０１０１に横方向移動自在に直接又は間接に係止され、カーテンレール側の上部から順番に間隔をあけて設けることが可能な少なくとも二つ以上のカーテン布係止部０１０２，０１０４を有する複数のカーテン布吊下用紐状部材０１０３と、前記カーテン布吊下用紐状部材であって異なるカーテン布吊下用紐状部材間の上部から同じ順番のカーテン布係止部にその上部側を係止するための少なくとも二枚以上の部分カーテン布０１０５、０１０６、０１０７と、からなる横開閉可能な多段カーテン。【選択図】図１【図１】
0006757865.tif 000002
【図２】
0006757865.tif 000003
【図３】
0006757865.tif 000004
【図４】
0006757865.tif 000005
【図５】
0006757865.tif 000006
【図６】
0006757865.tif 000007
【図７】
0006757865.tif 000008
【図８】
0006757865.tif 000009
【図９】
0006757865.tif 000010
【図１０】
0006757865.tif 000011
【図１１】
0006757865.tif 000012
【図１２】
0006757865.tif 000013
【図１３】
0006757865.tif 000014
【図１４】
0006757865.tif 000015
【図１５】
0006757865.tif 000016
【図１６】
0006757865.tif 000017